(57)【要約】【課題】メーリングリストに登録した情報の自動投稿と自動閲覧を可能とする。【解決手段】電子メールの受信部５１、読取処理部５２、提供情報格納部５３、利用者情報格納部５３２、配信処理部５４およびメール送信部５４を備え、読取処理部５２は、閲覧希望の利用者から送信され受信した電子メールの任意の宛先メールアドレスにおけるメールアカウントを読取り、希望情報のグループ（種別）を特定し、配信処理部５４は、情報のグループと同一グループの情報が提供情報格納部５３内にあるか否かを判定し、ある場合、利用者情報格納部５３２に格納された上記利用者に関する情報に対し、同一グループの情報を配信する情報配信グループへの追加の登録を行い、同一グループの情報をメール送信部５４を介して上記利用者に電子メールで送信する。【選択図】図５
2008250845.tif 000002
【特許請求の範囲】
【請求項１】
電子メールを受信するメール受信部、受信した電子メールを読取り処理する読取処理部、電子メールで提供された情報を保持する提供情報格納部、該情報の登録を希望する第１利用者に関する情報および該情報の提供を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、
前記読取処理部は、前記第２利用者から送信され受信した電子メールの任意の宛先メールアドレスにおけるメールアカウントを読取り、前記第２利用者が閲覧を希望している情報のグループを特定し、
前記配信処理部は、前記情報のグループと同一グループの情報が前記提供情報格納部に保持された情報内にあるか否かを判定し、その判定結果がＹＥＳの場合、前記利用者情報格納部に格納された前記第２利用者に関する情報に対し、同一グループの情報を配信する情報配信グループへの追加の登録を行い、前記同一グループの情報を前記メール送信部を介して前記第２利用者に電子メールで送信する、
ことを特徴とするメール配信システム。
【請求項２】
前記配信処理部は、前記判定結果がＮＯの場合、前記メール送信部を介して、前記第２利用者に、希望する情報がない旨を電子メールで通知する、
請求項１に記載のメール配信システム。
【請求項３】
グループに所属する利用者に同時配信する情報を格納するグループ情報格納部を備え、
前記配信処理部は、前記判定結果がＮＯの場合、前記メール送信部を介して、前記第２利用者に、希望する情報がない旨を電子メールで通知すると共に、前記グループ情報格納部に新規なグループを登録する、
請求項１に記載のメール配信システム。
【請求項４】
電子メールを受信するメール受信部、受信した電子メールを読取り処理する読取処理部、電子メールで提供された情報を保持する提供情報格納部、該情報の登録を希望する第１利用者に関する情報および該情報の提供を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、
前記読取処理部は、前記第１利用者から送信され受信した電子メールの任意の宛先メールアドレスにおけるメールアカウントを読取り、前記第１利用者が投稿を希望している情報のグループを特定し、
前記配信処理部は、前記情報のグループと同一グループの情報が前記提供情報格納部に保持された情報内にあるか否かを判定し、その判定結果がＹＥＳの場合、前記利用者情報格納部に格納された前記第１利用者に関する情報に対し、同一グループの情報を配信する情報配信グループへの追加の登録を行い、前記同一グループの情報を前記メール送信部を介して前記第２利用者に電子メールで送信する、
ことを特徴とするメール配信システム。
【請求項５】
電子メールを受信するメール受信部、受信した電子メールを読取り処理する読取処理部、電子メールで提供された情報を保持する提供情報格納部、該情報の登録を希望する第１利用者に関する情報および該情報の提供を希望する第２利用者に関する情報を格納する利用者情報格納部、前記提供情報格納部に保持された情報を前記第２利用者に配信するよう処理する配信処理部および電子メールを送信するメール送信部を具備したメール配信システムのためのプログラムであって、
コンピュータに、
前記第２利用者から送信され受信した電子メールの任意の宛先メールアドレスにおけるメールアカウントを読取り、前記第２利用者が閲覧を希望している情報のグループを特定する読取処理ステップと、
前記情報のグループと同一グループの情報が前記提供情報格納部に保持された情報内にあるか否かを判定し、その判定結果がＹＥＳの場合、前記利用者情報格納部に格納された前記第２利用者に関する情報に対し、同一グループの情報を配信する情報配信グループへの追加の登録を行い、前記同一グループの情報を前記メール送信部を介して前記第２利用者に電子メールで送信する配信処理ステップと、
を実行させることを特徴とするプログラム。
【請求項６】
電子メールを受信するメール受信部、受信した電子メールを読取り処理する読取処理部、電子メールで提供された情報を保持する提供情報格納部、該情報の登録を希望する第１利用者に関する情報および該情報の提供を希望する第２利用者に関する情報を格納する利用者情報格納部、前記提供情報格納部に保持された情報を前記第２利用者に配信するよう処理する配信処理部および電子メールを送信するメール送信部を具備したメール配信システムのためのプログラムであって、
コンピュータに、
前記第１利用者から送信され受信した電子メールの任意の宛先メールアドレスにおけるメールアカウントを読取り、前記第１利用者が投稿を希望している情報のグループを特定する読取処理ステップと、
前記情報のグループと同一グループの情報が前記提供情報格納部に保持された情報内にあるか否かを判定し、その判定結果がＹＥＳの場合、前記利用者情報格納部に格納された前記第１利用者に関する情報に対し、同一グループの情報を配信する情報配信グループへの追加の登録を行い、前記同一グループの情報を前記メール送信部を介して前記第２利用者に電子メールで送信する配信処理ステップと、
を実行させることを特徴とするプログラム。
【発明の詳細な説明】
【技術分野】
【０００１】
本発明は、メール配信システムおよびそのためのプログラムに関し、特に、メーリングリストに登録した情報の投稿希望者や閲覧希望者から送信される情報の自動投稿と自動閲覧を可能とするメール配信システムおよびそのためのプログラムに関する。
【背景技術】
【０００２】
最近急速に普及してきたインターネットでは、電子メールによるメーリングリストやメールマガジンなどによる情報の提供が行われている。メーリングリストでは、ユーザは、所定の情報の提供を受けたい場合に、情報の閲覧の希望者が、情報提供者（サーバ）により管理されるメーリングリストに登録すると、情報の提供の希望者が投稿するなどして情報提供者に蓄積された情報内に上記所定の情報があれば、情報の閲覧の希望者は、その情報を電子メールで受信することができる。
【０００３】
図９は従来技術によるメール配信システムの処理のフローチャートである。図９全体にに示すメール配信システム１０１は、情報の第１利用者（投稿者）１１２および第２利用者（閲覧者）１１３を含むメール配信システム１０１に登録している利用者に情報のメールを配信すべく情報を管理するシステム管理者（以下、単に管理者と記す）１１１をサーバとし、利用者をクライアントとするサーバアンドクライアントシステムとして構成される。
【０００４】
ステップＳ９１で、投稿者１１２は管理者１１１にメーリングリストの開設依頼をする。従来技術のメール配信システム１０１ではステップＳ９１のメーリングリストの開設作業が必要である。
【０００５】
ステップＳ９２で、管理者１１１はメーリングリストを開設する。従来技術のメール配信システム１０１では管理者１１１にとってメーリングリストの管理が手間である。
【０００６】
ステップＳ９３で、管理者１１１は投稿者１１２にメーリングリストが開設されたことを通知する。
ステップＳ９４で、投稿者１１２は管理者１１１に情報を投稿する。
【０００７】
ステップＳ９５で、閲覧者１１３は管理者１１１に所望の情報を提供するメーリングリストの検索を依頼する。従来技術のメール配信システム１０１では閲覧者１１３はメーリングリストの検索作業が手間であり、必要とする情報に辿り着くのが困難である。
【０００８】
ステップＳ９６で、ステップＳ９５で上記メーリングリストが検索されたとき、管理者１１１は閲覧者１１３に上記メーリングリストを通知する。
【０００９】
ステップＳ９７で、閲覧者１１３は上記メーリングリストへの登録を依頼する。従来技術のメール配信システム１０１では複数の情報を入手したい場合、複数のメーリングリストに登録しなければならない。
ステップＳ９８で、管理者１１１は閲覧者１１３を上記メーリングリストに利用者登録をする。
【００１０】
ステップＳ９９で、管理者１１１は閲覧者１１３が上記メーリングリストに登録されたことを通知する。従来技術のメール配信システム１０１ではメーリングリストへ登録するために多くのステップＳ９５〜Ｓ９９を必要とする。
【００１１】
ステップＳ９９Ａで、閲覧者１１３は管理者１１１に上記メーリングリスト内の情報の検索を依頼する。
【００１２】
ステップＳ９９Ｂで、管理者１１１は閲覧者１１３にステップＳ９９Ａで検索された情報を送信する。これにより、閲覧者１１３は検索された情報を閲覧できる。
【００１３】
図１０は図９に示すメール配信システム管理者の処理のフローチャートである。
ステップＳ１０１で、利用者１１２または１１３から管理者１１１へのメールを受信し、ＳＭＴＰセッションを開始する。つまり、管理者１１１は利用者１１２または１１３によるシステム１０１の利用を可能に（ログイン）する。
ステップＳ１０２で、受信したメールの送信元アドレスの通知を受信する。
ステップＳ１０３で、受信したメールの宛先アドレスの通知を受信する。
【００１４】
ステップＳ１０４で、宛先アドレスの読取処理を実行し、宛先アドレスが存在するか否かを判定し、判定結果がＹＥＳのときステップＳ１０５に進み、判定結果がＮＯのときステップＳ１０７に進む。
ステップＳ１０５で、利用者１１２または１１３にメールの本文を送信する。
【００１５】
ステップＳ１０６で、ＳＭＴＰセッションを終了する。つまり、管理者１１１は利用者１１２または１１３によるシステム１０１の利用を不能に（ログアウト）する。
【００１６】
ステップＳ１０７で、宛先が不明なメールはエラーとなり、メールは破棄の対象となるため宛先アドレスをキーにした検索はできない。よって、管理者１１１から利用者１１２または１１３にエラーコードを送信する。次いで、ステップＳ１０６でＳＭＴＰセッションを終了する。
【００１７】
図９、図１０を用いて上述した従来技術によるメール配信システム（メーリングリスト方式）には、下記１〜３の問題がある。
１．所定の情報の提供を受けたい場合、情報の閲覧の希望者が情報提供者により管理されるウェブサイトなどを用いてメーリングリストの検索を行うが、提供されているメーリングリストの数自体が膨大であり、必要とする情報に辿り着くまで困難であることが多い。
【００１８】
２．所定の情報はメーリングリストの一部である場合が多いが、一律に同一内容の情報を配信する従来のメーリングリストでは、メーリングリストの登録者は必要としていない情報までも受信することになる。また、所定の情報が複数の情報提供者により管理される場合、情報の閲覧の希望者は、複数の情報提供者により管理されるメーリングリストのメンバーにそれぞれ登録しなければならない。
【００１９】
３．必要とする情報に合致した場合、メーリングリストのメンバーとして登録し、情報の提供を受けることになるが、登録までに多くのステップ、例えばメールアドレスを含む情報の入力操作を要することとなり、手間が掛かる。
【００２０】
特許文献１に記載の情報提供システムは上記１〜３の問題を解決すべく提案されたものである。特許文献１は、簡単な操作によって手軽に所望の情報を取得でき、利用者にとっては操作が簡単であり、情報提供者にとっては商品カタログ等の作成・メンテナンスを大幅に簡略化できる情報提供システムを開示している。この情報提供システムは、メールを受信し、受信メールの宛先メールアドレスにより対応する情報を特定し、特定された情報が本文に含まれる返信メールを送信する。また提供情報の詳細は、メールのタイトルに含まれるコードにより特定でき、および／または受信メールの送信者アドレスにより特定できる。
【００２１】
【特許文献１】特開平２００５−３２１９８１号公報（明細書の［請求項１］〜［請求項３］、段落番号［０００２］〜［０００９］、［００２３］および図面の［図１］、［図４］参照）。
【発明の開示】
【発明が解決しようとする課題】
【００２２】
しかしながら、特許文献１に記載の情報提供システムは、所定の情報の提供を行いたい場合、その都度メールアドレス（メールアカウント）の開設作業（メールアドレスを含む情報の入力）が必要となり、情報提供者であるメールサーバの管理業務が煩雑なものとなる。また、開設したメールアドレス（メールアカウント）を何らかの方法で、情報提供希望者に通知しなければならない。また、情報の閲覧を希望する度に情報提供者にメールを送信しなければ情報の提供を受けることができず、自動配信はされない。また、情報の閲覧の希望者は閲覧を希望する度に情報提供者に送信するメールに情報を提供する相手の宛先メールアドレスを特定しなければならず、相手の宛先メールアドレスを調べて入力しなければならず煩雑であるという問題がある。
【００２３】
本発明は、上記問題を解決するためになされたものであり、メーリングリストに登録した情報の投稿希望者や閲覧希望者から送信される電子メールの任意のメールアドレスを介して情報の自動投稿と自動閲覧を可能とするメール配信システムおよびそのためのプログラムの提供を目的とする。
【課題を解決するための手段】
【００２４】
上記目的を達成する本発明によるメール配信システムは、電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、前記読取処理部は、前記第２利用者から送信され受信した電子メールの任意の宛先メールアドレスにおけるメールアカウントを読取り、前記第２利用者が閲覧を希望している情報のグループ（種別）を特定し、前記配信処理部は、前記情報のグループと同一グループの情報が前記提供情報格納部に保持された情報内にあるか否かを判定し、その判定結果がＹＥＳの場合、前記利用者情報格納部に格納された前記第２利用者に関する情報に対し、同一グループの情報を配信する情報配信グループへの追加の登録を行い、前記同一グループの情報を前記メール送信部を介して前記第２利用者に電子メールで送信する、ことを特徴とする。
【００２５】
上記メール配信システムにおいて、前記配信処理部は、前記判定結果がＮＯの場合、前記メール送信部を介して、前記第２利用者に、希望する情報がない旨を電子メールで通知する。
【００２６】
上記メール配信システムにおいて、グループに所属する利用者に同時配信する情報を格納するグループ情報格納部を備え、前記配信処理部は、前記判定結果がＮＯの場合、前記メール送信部を介して、前記第２利用者に、希望する情報がない旨を電子メールで通知すると共に、前記グループ情報格納部に新規なグループを登録する。
【００２７】
上記目的を達成する本発明によるメール配信システムは、電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、前記読取処理部は、前記第１利用者から送信され受信した電子メールの任意の宛先メールアドレスにおけるメールアカウントを読取り、前記第１利用者が投稿を希望している情報のグループ（種別）を特定し、前記配信処理部は、前記情報のグループと同一グループの情報が前記提供情報格納部に保持された情報内にあるか否かを判定し、その判定結果がＹＥＳの場合、前記利用者情報格納部に格納された前記第１利用者に関する情報に対し、同一グループの情報を配信する情報配信グループへの追加の登録を行い、前記同一グループの情報を前記メール送信部を介して前記第２利用者に電子メールで送信する、ことを特徴とする。
【００２８】
上記目的を達成する本発明によるメール配信システムのためのプログラムは、電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムのためのプログラムであって、コンピュータに、前記第２利用者から送信され受信した電子メールの任意の宛先メールアドレスにおけるメールアカウントを読取り、前記第２利用者が閲覧を希望している情報のグループ（種別）を特定する読取処理ステップと、前記情報のグループと同一グループの情報が前記提供情報格納部に保持された情報内にあるか否かを判定し、その判定結果がＹＥＳの場合、前記利用者情報格納部に格納された前記第２利用者に関する情報に対し、同一グループの情報を配信する情報配信グループへの追加の登録を行い、前記同一グループの情報を前記メール送信部を介して前記第２利用者に電子メールで送信する配信処理ステップと、を実行させることを特徴とする。
【００２９】
上記目的を達成する本発明によるメール配信システムのためのプログラムは、電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムのためのプログラムであって、コンピュータに、前記第１利用者から送信され受信した電子メールの任意の宛先メールアドレスにおけるメールアカウントを読取り、前記第１利用者が投稿を希望している情報のグループ（種別）を特定する読取処理ステップと、前記情報のグループと同一グループの情報が前記提供情報格納部に保持された情報内にあるか否かを判定し、その判定結果がＹＥＳの場合、前記利用者情報格納部に格納された前記第１利用者に関する情報に対し、同一グループの情報を配信する情報配信グループへの追加の登録を行い、前記同一グループの情報を前記メール送信部を介して前記第２利用者に電子メールで送信する配信処理ステップと、を実行させることを特徴とする。
【発明の効果】
【００３０】
従来技術では通常メールアドレス（アカウント）として存在しない電子メールは宛先不明のエラーメールとしてメールサーバ上で破棄されるが、本発明では、宛先不明メールに対し、読取処理部が宛先メールアドレス（To:）のアカウント（@マークより前の部分）を読取り、抽出条件（キーワード：情報のグループを示す）を元にメーリングリストのデータベースから所定の情報を抽出し、閲覧することを可能とする。
【００３１】
また、抽出条件（キーワード）となる宛先メールアドレス（To:）は送信元メールアドレス（From:）毎に個別に記録・蓄積され、情報提供者（投稿者）から抽出条件（キーワード）に合致する電子メールが投稿された時点で、情報希望者（閲覧者）はリアルタイムに閲覧することを可能とする。
上記により、メーリングリスト毎のメールアドレス（アカウント）の開設作業を不要とし、情報提供者のメールサーバ管理業務が簡便なものとなる。
【００３２】
また、宛先メールアドレス（To:）のアカウント（@マークより前の部分）のみを抽出条件とする他に、情報を特定するため、題名や本文に抽出条件を付加してもよい。
上記により、膨大なメーリングリストの中から必要とする情報のみを取得することを可能とする。
【００３３】
また、複数の抽出条件（キーワード）を登録しておくことにより、情報提供希望者毎の嗜好性に合わせた情報の取得も可能となる。
また、情報提供者からも同様に任意の宛先メールアドレス（To:）のアカウント（@マークより前の部分）を抽出条件（キーワード）として、情報の投稿を可能とし、情報提供希望者、情報提供者双方でメーリングリストへの投稿・閲覧の作業を簡便にすることを可能とする。
【発明を実施するための最良の形態】
【００３４】
図１は本発明によるメール配信システムの処理のフローチャートである。図１全体に示すメール配信システム１は、情報の第１利用者（投稿者）１２および第２利用者（閲覧者）１３を含むメール配信システム１に登録している利用者に情報のメールを配信すべく情報を管理するシステム管理者（以下、単に管理者と記す）１１をサーバとし、利用者をクライアントとするサーバアンドクライアントシステムとして構成される。
【００３５】
ステップＳ１１で、投稿者１２から管理者１１に任意の宛先メールアドレスを付した電子メールを送信することで提供したい情報を投稿する。このステップでメーリングリストの開設作業は不要である。
【００３６】
ステップＳ１２で、管理者１１は宛先メールアドレスから読取ったメールアカウントをトリガーとしてメーリングリストを自動開設する。
【００３７】
ステップＳ１３で、閲覧者１３から管理者１１に任意の宛先メールアドレスを付した電子メールを送信することで閲覧したい情報の検索を開始する。このステップでメーリングリストの検索作業は不要である。
【００３８】
ステップＳ１４で、管理者１１は宛先メールアドレスから読取ったメールアカウントをトリガーとして閲覧者１３を自動登録する。
ステップＳ１５で、管理者１１は閲覧者１３に情報を自動配信する。
【００３９】
図２は図１に示すメール配信システム管理者の処理のフローチャートである。
ステップＳ２１で、利用者１２または１３から管理者１１へのメールを受信し、ＳＭＴＰセッションを開始する。つまり、管理者１１は利用者１２または１３によるシステム１の利用を可能に（ログイン）する。
【００４０】
ステップＳ２２で、メールの送信元アドレスの通知を受信する。
ステップＳ２３で、メールの宛先アドレスの通知を受信する。
【００４１】
ステップＳ２４で、宛先アドレスの有無に関わらず、宛先アドレスの読取処理を実行し、利用者１２または１３から送られたメールのメールアカウントを読取り、利用者情報内に利用者１２または１３が存在するか否かを検索し、利用者１２から情報を取得したり、利用者１３に情報を送る。
【００４２】
ステップＳ２５で、メールのタイトルを含む本文の読取処理を実行し、利用者１２または１３から送られたメールの上記本文を読取り、利用者１２からの情報を分類して取得したり、利用者１３に要求に合った分類の情報を送る。
これら宛先アドレスおよび本文の読取処理は図３を用いて後で詳しく説明する。
【００４３】
ステップＳ２６で、ＳＭＴＰセッションを終了する。つまり、管理者１１は利用者１２または１３によるシステム１の利用を不能に（ログアウト）する。
【００４４】
図３は本発明のシステム管理者のメール読取処理のフローチャートである。
ステップＳ３１で、受信メールが閲覧者１３からのものか投稿者１２からのものかを宛先メールアドレスに基づき判別し、閲覧者１３からのもの（宛先メールアドレスにＲＥＧの記）であればステップＳ３２Ａに進み、投稿者１２からのもの（宛先メールアドレスにＧＥＴの記）であればステップＳ３２Ｂに進む。
【００４５】
ステップＳ３２Ａで、該当する投稿情報が情報ＤＢ（図５の５３１）内に存在するか否かを判定し、判定結果がＹＥＳのときはステップＳ３３Ａに進み、判定結果がＮＯのときはステップＳ３４Ａに進む。
ステップＳ３３Ａで、利用者情報を該当グループへ登録する。
【００４６】
ステップＳ３４Ａで、類似する投稿情報が情報ＤＢ（図５の５３１）内に存在するか否かを判定し、判定結果がＹＥＳのときはステップＳ３５Ａに進み、判定結果がＮＯのときはステップＳ３６Ａに進む。
【００４７】
ステップＳ３５Ａで、「類似グループ名」を閲覧者に返信する。
ステップＳ３６Ａで、「類似グループ名なし」を閲覧者に返信する。
ステップＳ３７Ａで、利用者情報を新規グループへ登録する。
【００４８】
ステップＳ３２Ｂで、該当する投稿情報が情報ＤＢ（図５の５３１）内に存在するか否かを判定し、判定結果がＹＥＳのときはステップＳ３３Ｂに進み、判定結果がＮＯのときはステップＳ３４Ｂに進む。
ステップＳ３３Ｂで、投稿情報を該当グループへ登録する。
【００４９】
ステップＳ３４Ｂで、類似する投稿情報が情報ＤＢ（図５の５３１）内に存在するか否かを判定し、判定結果がＹＥＳのときはステップＳ３５Ｂに進み、判定結果がＮＯのときはステップＳ３６Ｂに進む。
ステップＳ３５Ｂで、「類似グループ名」を投稿者に返信する。
ステップＳ３６Ｂで、「類似グループ名なし」を投稿者に返信する。
ステップＳ３７Ｂで、投稿情報を新規グループへ登録する。
【００５０】
図４は本発明のシステム管理者のメール配信処理のフローチャートである。
ステップＳ４１で、返信する投稿情報が情報ＤＢ（図５の５３１）内に存在するか否かを判定し、存在する場合はステップＳ４２に進み、存在しない場合は処理を終了する。
ステップＳ４２で、投稿情報を閲覧者に送信する。
【００５１】
図５は本発明の一実施形態に係るメール配信システムのブロック構成図である。図５全体に示すメール配信システム５０は、電子メールを受信するメール受信部５１、受信した電子メールを読取り処理する読取処理部５２、電子メールで提供された情報を保持する提供情報格納部（情報ＤＢ）５３１と情報の提供（投稿）を希望する第１利用者に関する情報および情報の登録（閲覧）を希望する第２利用者に関する情報を格納する利用者情報格納部（利用者ＤＢ）５３２とグループ情報格納部（グループＤＢ）５３３とを有する情報格納部５３、提供情報格納部５３１に保持された情報を第２利用者に配信するよう処理する配信処理部５４および電子メールを送信するメール送信部５５を備える。
【００５２】
読取処理部５２は、第１利用者から送信され受信した電子メールの任意の宛先メールアドレスにおけるメールアカウントを読取り、第１利用者が投稿を希望している情報のグループ（種別）を特定する。
【００５３】
配信処理部５４は、情報のグループと同一グループの情報が提供情報格納部５３１に保持された情報内にあるか否かを判定し、その判定結果がＹＥＳの場合、利用者情報格納部５３２に格納された第１利用者に関する情報に対し、同一グループの情報を配信する情報配信グループへの登録を行い、メール送信部５５を介して同一グループの情報を第２利用者に電子メールで送信する。ここで、利用者は情報の提供（投稿）を希望する第１利用者と情報の登録（閲覧）を希望する第２利用者を含む。
【００５４】
提供情報格納部（情報ＤＢ）５３１には図示するような情報テーブルが格納されている。情報テーブルには情報に関する情報ＩＤ、タイトル、本文およびグループＩＤが格納される。
【００５５】
利用者情報格納部（利用者ＤＢ）５３２には図示するような利用者テーブルが格納されている。利用者情報格納部（利用者ＤＢ）５３２は一つのみ示してあるが、グループ情報格納部（グループＤＢ）５３３に格納されるグループＩＤ毎に（図５に示す例では３つのグループＩＤ毎に）それぞれ設けられる。利用者テーブルには利用者に関するメールアドレス、グループＩＤ、情報が送信された回数を示す情報ＩＤが格納される。グループＩＤおよび情報ＩＤは、メールアドレスに対応して複数個設けることができる。
【００５６】
グループ情報格納部（グループＤＢ）５３３には図示するようなグループテーブルが格納されている。グループテーブルにはグループＩＤ、グループ名が格納される。
【００５７】
図６は図５に示すメール配信システムにおいて情報の投稿者が情報を投稿する際のＲＥＧ処理のフローチャートである。
ステップＳ６１で、第１利用者（投稿者）からの下記のメールを受信する。
From：aaa@aaa.com
To：car@reg.mail.com
タイトル：中古車
本文：中古車譲ります。
車種、年式、
【００５８】
ステップＳ６２で、読取処理部５２により受信したメールから任意の宛先アドレスを読取り、グループＤＢ５３３内に該当する情報（グループ名：ｃａｒ）が在るか否かを検索し、在る場合は処理を終了し、無い場合はステップＳ６３に進む。
ステップＳ６３で、投稿された情報（グループ名：ｃａｒ）を新規情報として情報格納部５３内の情報ＤＢ５３１に格納する。
【００５９】
図７は図５に示すメール配信システムにおいて情報の閲覧者が情報を閲覧するために登録する際のＧＥＴ処理のフローチャートである。
ステップＳ７１で、第２利用者（閲覧者）からの下記のメールを受信する。
From：bbb@bbb.com
To：car@get.mail.com
【００６０】
ステップＳ７２で、読取処理部５２により受信したメールから任意の宛先アドレスを読取り、グループＤＢ５３３内に該当する情報（グループ名：ｃａｒ）が在るか否かを検索し、在る場合は処理を終了し、無い場合はステップＳ７３に進む。
ステップＳ７３で、閲覧希望の情報（メールアドレスbbb@bbb.comの情報）を新規情報として情報格納部５３内の利用者ＤＢ５３２に格納する。
【００６１】
図８は図５に示すメール配信システムにおいて情報の閲覧者に情報が配信される際のＧＩＶＥ処理のフローチャートである。
ステップＳ８１で、読取処理部５２により定期的に、利用者ＤＢ５３２に格納された利用者宛の情報が情報ＤＢ５３１に格納されているか否かを検索する。
ステップＳ８２で、配信処理部５４によりメール受信部５５を介して検索した情報を対象の利用者の宛先に配信する。
【００６２】
ステップＳ８３で、第２利用者（閲覧者）が情報を記した下記のメールを受信する。
From：car@give.mail.com
To：bbb@bbb..com
タイトル：投稿２１件
本文：中古車譲ります。
車種、年式、、
情報ＩＤ：１
情報ＩＤ２１
本文：中古車譲ります。
車種、年式、、
【００６３】
（付記１）
電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、
前記読取処理部は、前記第２利用者から送信され受信した電子メールの任意の宛先メールアドレスにおけるメールアカウントを読取り、前記第２利用者が閲覧を希望している情報のグループ（種別）を特定し、
前記配信処理部は、前記情報のグループと同一グループの情報が前記提供情報格納部に保持された情報内にあるか否かを判定し、その判定結果がＹＥＳの場合、前記利用者情報格納部に格納された前記第２利用者に関する情報に対し、同一グループの情報を配信する情報配信グループへの追加の登録を行い、前記同一グループの情報を前記メール送信部を介して前記第２利用者に電子メールで送信する、
ことを特徴とするメール配信システム。
【００６４】
（付記２）
電子メールを受信するメール受信部、受信した電子メールを読取り処理する読取処理部、電子メールで提供された情報を保持する提供情報格納部、該情報の登録を希望する第１利用者に関する情報および該情報の提供を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、
前記読取処理部は、前記第２使用者から送信され受信した電子メールの任意の宛先メールアドレスにおけるメールアカウントおよび該電子メールの本文を読取り、前記第２利用者が閲覧を希望している情報のグループと該情報を抽出するための条件を特定し、
前記配信処理部は、前記情報のグループと同一グループの情報が前記提供情報格納部に保持された情報内にあり、かつ前記情報を抽出するための条件が前記提供情報格納部に保持された情報内にあるか否かを判定し、その判定結果がＹＥＳの場合、前記利用者情報格納部に格納された前記第２利用者に関する情報に対し、同一グループの情報を配信する情報配信グループへの追加の登録を行い、前記同一グループの情報であり、かつ前記情報を抽出するための条件を満たす情報を前記メール送信部を介して前記第２利用者に電子メールで送信する、
ことを特徴とするメール配信システム。
【００６５】
（付記３）
前記配信処理部は、前記判定結果がＮＯの場合、前記メール送信部を介して、前記第２利用者に、希望する情報がない旨を電子メールで通知する、
付記１または２に記載のメール配信システム。
【００６６】
（付記４）
グループに所属する利用者に同時配信する情報を格納するグループ情報格納部を備え、
前記配信処理部は、前記判定結果がＮＯの場合、前記メール送信部を介して、前記第２利用者に、希望する情報がない旨を電子メールで通知すると共に、前記グループ情報格納部に新規なグループを登録する、
付記１または２に記載のメール配信システム。
【００６７】
（付記５）
電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、
前記読取処理部は、前記第１利用者から送信され受信した電子メールの任意の宛先メールアドレスにおけるメールアカウントを読取り、前記第１利用者が投稿を希望している情報のグループ（種別）を特定し、
前記配信処理部は、前記情報のグループと同一グループの情報が前記提供情報格納部に保持された情報内にあるか否かを判定し、その判定結果がＹＥＳの場合、前記利用者情報格納部に格納された前記第１利用者に関する情報に対し、同一グループの情報を配信する情報配信グループへの追加の登録を行い、前記同一グループの情報を前記メール送信部を介して前記第２利用者に電子メールで送信する、
ことを特徴とするメール配信システム。
【００６８】
（付記６）
電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムであって、
前記読取処理部は、前記第１使用者から送信され受信した電子メールの宛先メールアドレスにおけるメールアカウントおよび該電子メールの本文を読取り、前記第１利用者が投稿を希望している情報のグループと該情報を抽出するための条件を特定し、
前記配信処理部は、前記情報のグループと同一グループの情報が前記提供情報格納部に保持された情報内にあり、かつ前記情報を抽出するための条件が前記提供情報格納部に保持された情報内にあるか否かを判定し、その判定結果がＹＥＳの場合、前記利用者情報格納部に格納された前記第１利用者に関する情報に対し、同一グループの情報を配信する情報配信グループへの追加の登録を行い、前記同一グループの情報であり、かつ前記情報を抽出するための条件を満たす情報を前記メール送信部を介して前記第２利用者に電子メールで送信する、
ことを特徴とするメール配信システム。
【００６９】
（付記７）
前記配信処理部は、前記判定結果がＮＯの場合、前記メール送信部を介して、前記第２利用者に、希望する情報がない旨を電子メールで通知する、
付記５または６に記載のメール配信システム。
【００７０】
（付記８）
グループに所属する利用者に同時配信する情報を格納するグループ情報格納部を備え、
前記配信処理部は、前記判定結果がＮＯの場合、前記メール送信部を介して、前記第２利用者に、希望する情報がない旨を電子メールで通知すると共に、前記グループ情報格納部に新規なグループを登録する、
付記５または６に記載のメール配信システム。
【００７１】
（付記９）
電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムのためのプログラムであって、
コンピュータに、
前記第２利用者から送信され受信した電子メールの任意の宛先メールアドレスにおけるメールアカウントを読取り、前記第２利用者が閲覧を希望している情報のグループ（種別）を特定する読取処理ステップと、
前記情報のグループと同一グループの情報が前記提供情報格納部に保持された情報内にあるか否かを判定し、その判定結果がＹＥＳの場合、前記利用者情報格納部に格納された前記第２利用者に関する情報に対し、同一グループの情報を配信する情報配信グループへの追加の登録を行い、前記同一グループの情報を前記メール送信部を介して前記第２利用者に電子メールで送信する配信処理ステップと、
を実行させることを特徴とするプログラム。
【００７２】
（付記１０）
電子メールを受信するメール受信部、受信した電子メールを読取り処理する読取処理部、電子メールで提供された情報を保持する提供情報格納部、該情報の登録（投稿）を希望する第１利用者に関する情報および該情報の提供（閲覧）を希望する第２利用者に関する情報を格納する利用者情報格納部、前記提供情報格納部に保持された情報を前記第２利用者に配信するよう処理する配信処理部および電子メールを送信するメール送信部を具備したメール配信システムのためのプログラムであって、
コンピュータに、
前記第１利用者から送信され受信した電子メールの任意の宛先メールアドレスにおけるメールアカウントを読取り、前記第１利用者が投稿を希望している情報のグループ（種別）を特定する読取処理ステップと、
前記情報のグループと同一グループの情報が前記提供情報格納部に保持された情報内にあるか否かを判定し、その判定結果がＹＥＳの場合、前記利用者情報格納部に格納された前記第１利用者に関する情報に対し、同一グループの情報を配信する情報配信グループへの追加の登録を行い、前記同一グループの情報を前記メール送信部を介して前記第２利用者に電子メールで送信する配信処理ステップと、
を実行させることを特徴とするプログラム。
【図面の簡単な説明】
【００７３】
【図１】本発明によるメール配信システムの処理のフローチャートである。
【図２】図１に示すメール配信システム管理者の処理のフローチャートである。
【図３】本発明のシステム管理者のメール読取処理のフローチャートである。
【図４】本発明のシステム管理者のメール配信処理のフローチャートである。
【図５】本発明の一実施形態に係るメール配信システムのブロック構成図である。
【図６】図５に示すメール配信システムにおいて情報の投稿者が情報を投稿する際の処理のフローチャートである。
【図７】図５に示すメール配信システムにおいて情報の閲覧者が情報を閲覧するために登録する際の処理のフローチャートである。
【図８】図５に示すメール配信システムにおいて情報の閲覧者に情報が配信される際の処理のフローチャートである。
【図９】従来技術によるメール配信システムの処理のフローチャートである。
【図１０】図９に示すメール配信システム管理者の処理のフローチャートである。
【符号の説明】
【００７４】
１、５０    メール配信システム
１１    システム管理者
１２    第１利用者（投稿者）
１３    第２利用者（閲覧者）
５１    メール受信部
５２    読取処理部
５３    情報格納部
５４    配信処理部
５５    メール送信部
５３１    提供情報格納部（情報ＤＢ）
５３２    利用者情報格納部（利用者ＤＢ）
５３３    グループ情報格納部（グループＤＢ）
【図１】
2008250845.tif 000003
【図２】
2008250845.tif 000004
【図３】
2008250845.tif 000005
【図４】
2008250845.tif 000006
【図５】
2008250845.tif 000007
【図６】
2008250845.tif 000008
【図７】
2008250845.tif 000009
【図８】
2008250845.tif 000010
【図９】
2008250845.tif 000011
【図１０】
2008250845.tif 000012